(57)【特許請求の範囲】
【請求項１】
略半球状の容器の内部の底面を第１の方向に向けて該容器を受ける受け部であって、前記容器の前記第１の方向の高さよりも短い間隔で前記第１の方向に連接された複数の受け部と、
前記複数の受け部をそれぞれ支持する複数の支持部と、
を備え、
前記複数の支持部のうち第１の受け部を支持する第１の支持部は、前記第１の受け部の前記第１の方向とは反対方向である第２の方向に隣接する第２の受け部が受ける容器と干渉しないように前記第１の受け部を支持し、
前記第１の支持部は、前記第１の受け部と結合する第１の結合部と、該第１の結合部から前記第１の受け部が受ける第１の容器の外壁面に沿って延設される第１の腕部と、を備え、
前記第１の腕部の前記第１の結合部と該第１の結合部の反対側の端部である第２の端部との前記第１の方向における距離は、前記第２の受け部と該第２の受け部が受ける第２の容器の周縁部までの前記第１の方向における距離と前記第１の受け部と前記第２の受け部との前記第１の方向における距離との差より大きいことを特徴とする容器収納ラック。
【請求項２】
前記第１の方向は略鉛直方向の上方向であり、
前記複数の受け部は、容器の外壁面に接して該容器を内挿保持する中空部をそれぞれ有することを特徴とする請求項１に記載の容器収納ラック。
【請求項３】
前記複数の受け部のそれぞれの中空部は、前記第１の方向に向かうにしたがって径が小さくなることを特徴とする請求項２に記載の容器収納ラック。
【請求項４】
前記複数の受け部のそれぞれの中空部の中心は、前記第１の方向から見て一致することを特徴とする請求項２又は３に記載の容器収納ラック。
【請求項５】
前記第１の方向は略鉛直方向の下方向であり、
前記複数の受け部は、容器の内壁面に接して該容器を載置する台部をそれぞれ有することを特徴とする請求項１に記載の容器収納ラック。
【請求項６】
前記第１の方向は略水平方向であり、
前記複数の受け部は、容器の外壁面に接して該容器を内挿保持する中空部と、容器の周縁部に接して該容器を係止する爪部と、をそれぞれ有することを特徴とする請求項１に記載の容器収納ラック。
【請求項７】
前記複数の受け部及び前記複数の支持部を１本の針金状部材で形成したことを特徴とする請求項１から６のいずれか１項に記載の容器収納ラック。
【請求項８】
請求項１から７のいずれか１項に記載の容器収納ラックと、
前記容器収納ラックに収納される容器と、
を含んで構成されることを特徴とする容器セット。
【発明の詳細な説明】
【技術分野】
【０００１】  本発明は、容器収納ラック及び容器セットに関し、特に複数の略半球状の容器を収納する技術に関する。
【背景技術】
【０００２】  調理用容器として、金属製や樹脂製のボウルが知られている。一般に、家庭には、サイズの異なる複数のボウルが備えられており、調理の際には用途に合ったサイズのボウルが適宜選択され、用いられる。【０００３】  従来、使用されないボウルは、重ねて収納されるか、スタンドタイプの収納ラックに立てて収納されている。特に、省スペースのために、ボウルを大きさの順に重ね合わせて、水平に置いて収納することが一般的に行われている。【０００４】  また、特許文献１には、ボウルの底の部分と２箇所の縁の部分との３点でボウルを支持し、複数のボウルを縦方向に保持する保持器具が記載されている。
【先行技術文献】
【特許文献】
【０００５】
【特許文献１】特開２００６−７５５７２号公報
【発明の概要】
【発明が解決しようとする課題】
【０００６】  しかしながら、このようにボウルを重ねて置いた場合は、重ね合わせたボウルのうち任意のボウルを取り出そうとすると、上側に重なっているボウルを持ち上げ、その下のボウルを取り出すことになる。このような手順を行うには、片手では困難であり、作業性が悪いという問題点があった。【０００７】  また、特許文献１に記載の保持器具についても、ボウルを重ねて置いた場合と同様に、隣り合うボウルが互いに接触しているため、任意のボウルを取り出す際や、ボウルを戻す際には、片手で行うのは困難であるという問題点があった。【０００８】  本発明はこのような事情に鑑みてなされたもので、省スペースで、かつ容易に任意の容器の取り出しや収納が可能な容器収納ラック及び容器セットを提供することを目的とする。
【課題を解決するための手段】
【０００９】
上記目的を達成するために容器収納ラックの一の態様は、略半球状の容器の内部の底面を第１の方向に向けて該容器を受ける受け部であって、容器の第１の方向の高さよりも短い間隔で第１の方向に連接された複数の受け部と、複数の受け部をそれぞれ支持する複数の支持部と、を備え、複数の支持部のうち第１の受け部を支持する第１の支持部は、第１の受け部の第１の方向とは反対方向である第２の方向に隣接する第２の受け部が受ける容器と干渉しないように第１の受け部を支持し、第１の支持部は、第１の受け部と結合する第１の結合部と、該第１の結合部から第１の受け部が受ける第１の容器の外壁面に沿って延設される第１の腕部と、を備え、第１の腕部の第１の結合部と該第１の結合部の反対側の端部である第２の端部との第１の方向における距離は、第２の受け部と該第２の受け部が受ける第２の容器の周縁部までの第１の方向における距離と第１の受け部と第２の受け部との第１の方向における距離との差より大きい。
上記目的を達成するために容器収納ラックの一の態様は、略半球状の容器の内部の底面を第１の方向に向けて容器を受ける受け部であって、容器の第１の方向の高さよりも短い間隔で第１の方向に連接された複数の受け部と、複数の受け部をそれぞれ支持する複数の支持部とを備え、複数の支持部のうち第１の受け部を支持する第１の支持部は、第１の受け部の第１の方向とは反対方向である第２の方向に隣接する第２の受け部が受ける容器と干渉しないように第１の受け部を支持する。
【００１０】  本態様によれば、省スペースを実現し、かつ容易に任意の容器の取り出しや収納を行うことができる。【００１１】  第１の支持部は、第１の受け部と結合する第１の結合部と、第１の結合部から第１の受け部が受ける第１の容器の外壁面に沿って延設される第１の腕部とを備えることが好ましい。これにより、第１の支持部と第２の受け部が受ける容器とが干渉しないように適切に第１の支持部が第１の受け部を支持することができる。【００１２】  第１の腕部の第１の結合部と該第１の結合部の反対側の端部である第２の端部との第１の方向における距離は、第２の受け部と該第２の受け部が受ける第２の容器の周縁部までの第１の方向における距離と第１の受け部と第２の受け部との第１の方向における距離との差より大きいことが好ましい。これにより、第１の支持部と第２の受け部が受ける容器とが干渉しないように適切に第１の支持部が第１の受け部を支持することができる。【００１３】  また、第１の方向は略鉛直方向の上方向であり、複数の受け部は、容器の外壁面に接して該容器を内挿保持する中空部をそれぞれ有していてもよい。これにより、省スペースで複数の容器を収納することができる。【００１４】  複数の受け部のそれぞれの中空部は、第１の方向に向かうにしたがって径が小さくなることが好ましい。また、複数の受け部のそれぞれの中空部の中心は、第１の方向から見て一致することが好ましい。これにより、省スペースで複数の容器を収納することができる。【００１５】  なお、第１の方向は略鉛直方向の下方向であり、複数の受け部は、容器の内壁面に接して該容器を載置する台部をそれぞれ有していてもよい。この場合も、複数の受け部のそれぞれの台部は、第１の方向に向かうにしたがって径が小さくなることが好ましい。このような態様によっても、省スペースで複数の容器を収納することができる。【００１６】  さらに、第１の方向は略水平方向であり、複数の受け部は、容器の外壁面に接して該容器を内挿保持する中空部と、容器の周縁部に接して該容器を係止する爪部と、をそれぞれ有していてもよい。このような態様によっても、省スペースで複数の容器を収納することができる。
また、複数の受け部及び複数の支持部を１本の針金状部材で形成してもよい。容易に加工することができ、コスト的にも有利である。【００１７】  上記目的を達成するために容器セットの一の態様は、略半球状の容器の内部の底面を第１の方向に向けて容器を受ける受け部であって、容器の第１の方向の高さよりも短い間隔で第１の方向に連接された複数の受け部と、複数の受け部をそれぞれ支持する複数の支持部とを備え、複数の支持部のうち第１の受け部を支持する第１の支持部は、第１の受け部の第１の方向とは反対方向である第２の方向に隣接する第２の受け部が受ける容器と干渉しないように第１の受け部を支持する容器収納ラックと、容器収納ラックに収納される容器とを含んで構成される。
【発明の効果】
【００１８】  本発明によれば、省スペースを実現し、かつ容易に任意の容器の取り出しや収納を行うことができる。
【図面の簡単な説明】
【００１９】
【図１】ボウルラックの斜視図
【図２】ボウルラックがボウルを収納した状態を示した側面図
【図３】ボウルラックの各部の寸法を説明するための側面図
【図４】ボウルの取り出しを示す説明図
【図５】ボウルラックの側面図
【図６】ボウルラックの各部の寸法を説明するための側面図
【図７】ボウルラックの斜視図
【図８】ボウルラックがボウルを収納した状態を示した側面図
【図９】ボウルラックの側面図
【図１０】ボウルラックを示す図
【図１１】ボウルラックを示す図
【図１２】ボウルラックの斜視図
【図１３】ボウルラックを示す図
【図１４】ボウルラックを示す図
【図１５】ボウルラックの斜視図
【発明を実施するための形態】
【００２０】  以下、添付図面に従って本発明の好ましい実施形態について詳説する。
＜第１の実施形態＞
図１は、本実施形態に係るボウルラック１０（容器収納ラックの一例）の斜視図である。同図に示すように、ボウルラック１０は、保持部２０、連結部３０、台座部４０等から構成されている。
保持部２０は、鉛直方向の上から順に３つのボウル受け２２−１，２２−２，２２−３（複数の受け部の一例）を有しており、このボウル受け２２−１，２２−２，２２−３は、それぞれ略円形状の中空部２４−１，２４−２，２４−３を有している。ボウル受け２２−１，２２−２，２２−３は、略半球状の調理容器（容器の一例、以下、ボウルと呼ぶ）をそれぞれ略円形状の中空部２４−１，２４−２，２４−３に内挿保持することができる。なお、ここでは、ボウル受け２２−２は、ボウル受け２２−１の鉛直方向の下方向（第２の方向の一例）に隣接するボウル受けであり、ボウル受け２２−３は、ボウル受け２２−２の鉛直方向の下方向に隣接するボウル受けであると定義する。
【００２１】  連結部３０は、３つの支持部３２−１，３２−２，３２−３（複数の支持部の一例）を有している。各支持部３２−１，３２−２，３２−３は、それぞれボウル受け２２−１，２２−２，２２−３を支持している。ボウル受け２２−１，２２−２，２２−３は、中空部２４−１，２４−２，２４−３の中心が鉛直方向から見て一致した状態で支持されている。即ち、中空部２４−１，２４−２，２４−３は、鉛直方向から見て同心円を構成している。
【００２２】  支持部３２−１（第１の支持部の一例）は、ボウル受け２２−１（第１の受け部の一例）と結合している第１の端部３４−１から鉛直方向の上方向、かつボウル受け２２−１の円周方向の外側方向に延設された第１の腕部３５−１と、第１の腕部３５−１からボウル受け２２−１の円周方向の外側に延設された第２の腕部３７−１とを有している。第１の腕部３５−１と第２の腕部３７−１とは、支持部３２−１の鉛直方向に最も高い位置である結合点３６−１（第１の結合部の一例）において結合している。
【００２３】  同様に、支持部３２−２（第２の支持部の一例），３２−３は、それぞれボウル受け２２−２（第２の受け部の一例），２２−３と結合している第１の端部３４−２，３４−３から鉛直方向の上方向、かつボウル受け２２−２，２２−３の円周方向の外側方向に延設された第１の腕部３５−２，３５−３と、第１の腕部３５−２，３５−３からボウル受け２２−２，２２−３の円周方向の外側に延設された第２の腕部３７−２，３７−３を有している。
【００２４】  即ち、第２の椀部３７−１，３７−２，３７−３は、それぞれボウル受け２２−１，２２−２，２２−３に保持されるボウル１２−１，１２−２，１２−３（図２参照）の外壁面に沿うように延設されている。
【００２５】  第１の腕部３５−２，３５−３と第２の腕部３７−２，３７−３とは、支持部３２−２，３２−３の鉛直方向に最も高い位置である結合点３６−２，３６−３において結合している。
【００２６】  また、３つの支持部３２−１，３２−２，３２−３は、第１の端部３４−１，３４−２，３４−３とは反対側の端部である第２の端部３８−１，３８−２，３８−３においてそれぞれ連結され、台座部４０に固定されている。
【００２７】  ここでは、第１の支持部３２−１の第２の端部３８−１は支持部３２−２の第１腕部３５−２に、第２の支持部３２−２の第２の端部３８−２は支持部３２−３の第１腕部３５−３に、第３の支持部３２−３の第２の端部３８−３は台座部４０に固定されている。
【００２８】  台座部４０は、その底面（外面底部）が床や台等に載置される部分である。
【００２９】  なお、結合点３６−１，３６−２，３６−３と第２の端部３８−１，３８−２，３８−３とが一致する態様も可能である。即ち、第１の腕部３５−１，３５−２，３２−３の第１の端部３４−１，３４−２，３４−３とは反対側の端部が支持部３２−１，３２−２，３２−３の鉛直方向に最も低い位置となり、それぞれ他の支持部３２や台座部４０に固定されていてもよい。
【００３０】  図２は、ボウルラック１０が４つのボウル１２−１，１２−２，１２−３，１２−４を収納した状態（容器セットの一例）を示した側面図であり、ここでは各ボウル１２−１，１２−２，１２−３，１２−４を透過させて示している。
【００３１】  図２に示すように、ボウル受け２２−１の中空部２４−１を形成する略円形状の内壁面がボウル１２−１（第１の容器の一例）の外壁面と接することで、ボウル受け２２−１がボウル１２−１の内部の底面（内面底部）を鉛直方向上方向（第１の方向の一例）に向けてボウル１２−１を内挿保持している。
【００３２】  同様に、ボウル受け２２−２，２２−３の中空部２４−２，２４−３を形成する略円形状の内壁面がボウル１２−２（第２の容器の一例），１２−３の外壁面と接することで、ボウル受け２２−２，２２−３がボウル１２−２，１２−３の内部の底面を鉛直方向上方向に向けてボウル１２−２，１２−３を内挿保持している。
【００３３】  このように、ボウルラック１０は、ボウル１２−１，１２−２，１２−３の内部の底面を鉛直方向の上方向に向けてボウル１２−１，１２−２，１２−３を内挿保持するボウル受け２２−１，２２−２，２２−３が、それぞれ支持部３２−１，３２−２，３２−３に支持されて鉛直方向に連接された構成を有している。
【００３４】  また、ボウル１２−４は、台座部４０に載置されている。
【００３５】  各ボウル１２−１，１２−２，１２−３，１２−４は、ここでは金属製のものを用いているが、樹脂製のものや、シリコン等の可撓製を有する素材のものでも構わない。また、それぞれ異なる材料で形成されていてもよい。
【００３６】  本実施形態のボウルラック１０は、３つのボウル受け２２−１，２２−２，２２−３を備えた構成としているが、ボウル受けの数は３つに限定されるものではない。
〔各部の寸法、比率〕
図３は、ボウルラック１０の各部の寸法を説明するための側面図である。ここでは、例えばボウル１２−１，１２−２，１２−３を、ボウル１２−ｎ（ｎ＝１，２，３）として表記している。ボウル１２−ｎはボウル受け２２−ｎが保持するものとする。
【００３７】  ボウル１２−ｎの周縁部の直径をＲＢｎ、底面から周縁部までの鉛直方向の高さをＨＢｎとすると、
ＲＢｎ≦ＲＢｎ＋１  …（式１）
ＨＢｎ≦ＨＢｎ＋１  …（式２）
の関係を満たしている。
【００３８】  ボウル受け２２−ｎの中空部２４−ｎの直径をＲＨｎとすると、
ＲＨｎ＜ＲＨｎ＋１  …（式３）
の関係を満たす。
【００３９】  ボウル受け２２−（ｎ−１）と２２−ｎとの間の距離をＰＨｎとすると、
ＨＢｎ＞ＰＨｎ≧２０［ｍｍ］  …（式４）
の関係を満たしている。即ち、各ボウル受け２２−ｎは、ボウルの鉛直方向の高さよりも短い間隔で鉛直方向に連接されている。
【００４０】  ボウル１２−ｎがボウル受け２２−ｎに保持されたときの、ボウル受け２２−ｎからボウル１２−ｎの周縁部までのＺ方向高さをＨＣｎとすると、
ＨＣｎ＝Ｍ×ＨＢｎ  …（式５）
で表すことができ、０．６０≦Ｍ≦０．９５であることが好ましく、０．７０≦Ｍ≦０．９０であることがより好ましく、０．７５≦Ｍ≦０．８５であることがより好ましい。
【００４１】  また、ボウル受け２２−ｎと２２−（ｎ＋１）との間の距離ＰＨｎ＋１は、ボウル受け２２−ｎにボウル１２−ｎが保持されたときのボウル受け２２−ｎからボウル１２−ｎの底面までのＺ方向高さ（ＨＢｎ−ＨＣｎ）以上であり、ボウル受け２２−（ｎ＋１）に保持されるボウルの高さＨＢｎ＋１よりも小さい。即ち、
ＨＢｎ−ＨＣｎ  ≦ＰＨｎ＋１＜ＨＢｎ＋１  …（式６）
の関係を満たしている。
【００４２】  また、支持部３２−ｎの第１の端部３４−ｎを基準としたときの結合点３６−ｎのＺ方向の高さＨＡｎ（以下、第１の腕部３５−ｎの高さＨＡｎと呼ぶ）は、
ＨＡｎ＞ＨＣｎ＋１−ＰＨｎ＋１  …（式７）
の関係を満たしている。このように構成することで、ボウル受け２２−ｎにおいて保持したボウル１２−ｎと支持部３２−（ｎ−１）とが干渉することを防止している。
【００４３】  ボウル受け２２−ｎの中空部２４−ｎの直径ＲＨｎと第１の腕部３５−ｎの高さＨＡｎの比率ＲＨｎ／ＨＡｎは、１．７≦ＲＨｎ／ＨＡｎ≦２．３であることが好ましく、１．８≦ＲＨｎ／ＨＡｎ≦２．２であることがより好ましく、１．９≦ＲＨｎ／ＨＡｎ≦２．１であることがより好ましい。本実施形態では、ＲＨｎ／ＨＡｎ＝２．０としている。
【００４４】  ボウル受け２２−ｎとボウル受け２２−（ｎ＋１）との間の距離ＰＨｎ＋１と、第１の腕部３５−ｎの高さＨＡｎの比率ＰＨｎ＋１、／ＨＡｎは、１．７≦ＰＨｎ＋１／ＨＡｎ≦２．３であることが好ましく、０．４０≦ＰＨｎ＋１／ＨＡｎ≦０．６０であることがより好ましく、０．４５≦ＰＨｎ＋１／ＨＡｎ≦０．５５であることがより好ましい。本実施形態では、ＰＨｎ＋１／ＨＡｎ＝０．５０としている。
【００４５】  さらに、第１の端部３４−ｎにおける第１の腕部３５−ｎと鉛直方向上方向とが成す角度θＡｎと、ボウル１２−ｎの外壁面と鉛直方向上方向とが成す角度θＢｎとは、
θＡｎ＜θＢｎ  …（式８）
の関係を満たしている。
【００４６】  このように第１の腕部３５−ｎを形成することで、支持部３２−ｎと、ボウル受け２２−ｎに保持されるボウル１２−ｎの周縁部、及びボウル受け２２−（ｎ＋１）に保持されるボウル１２−（ｎ＋１）の周縁部とが接触することを防止している。
【００４７】  図４は、ボウル１２−３の取り出しを示す説明図である。同図に示すように、各ボウル受け２２−１，２２−２，２２−３にボウル１２−１，１２−２，１２−３が載置され、かつボウル１２−４が台座部４０とともに載置されている。この状態から、ボウル受け２２−３に保持されたボウル１２−３を取り出すには、ボウル１２−３の周縁部付近の一部（一例として図４のＡ部分）を２本の指で狭持し、ボウル受け２２−３にボウル１２−３の外壁面を滑らせるように、ボウル１２−３の周縁部の指で挟持した部分を鉛直方向の上方に持ち上げ、図中の時計回り方向に回転させればよい。
【００４８】  また、ボウル１２−３をボウル受け２２−３に収納する場合には、取り出す場合と逆方向にボウル１２−３の外壁面をボウル受け２２−３に滑らせればよい。他のボウル１２−１，１２−２，１２−４についても同様である。
【００４９】  なお、省スペースのためには、ボウル受け間距離ＰＨｎ＋１とボウル高さＨＢｎとは、
ＰＨｎ＋１＜ＨＢｎ…（式９）
の関係を満たすことが好ましい。
【００５０】  ボウルラック１０によれば、保持される各ボウル１２−ｎの内壁面には保持部２０、連結部３０が接触しないので、ボウルを清潔に保って収納することができる。
＜第２の実施形態＞
図５は、第２の実施形態に係るボウルラック１１０の側面図である。同図に示すように、ボウルラック１１０は、保持部１２０、連結部１３０、台座部１４０等から構成されている。なお、図５では、ボウルラック１１０が３つのボウル１１２−１，１１２−２，１１２−３を収納した状態を示しており、ここでは各ボウル１１２−１，１１２−２，１１２−３を透過させている。
【００５１】  保持部１２０は、それぞれ鉛直方向視で略円形状の板状部材である３つのボウル受け１２２−１，１２２−２，１２２−３（台部の一例）を有している。ボウル受け１２２−１，１２２−２，１２２−３には、略半球状のボウルがその内面を鉛直方向下方に向けた状態で載置される。ボウル受け１２２−１，１２２−２，１２２−３の形状は、略円形状に限定されず、四角形、多角形、楕円形等、様々な形状を採用することができる。
【００５２】  連結部１３０は、３つの支持部１３２−１，１３２−２，１３２−３を有している。各支持部１３２−１，１３２−２，１３２−３は、それぞれボウル受け１２２−１，１２２−２，１２２−３を支持している。ボウル受け１２２−１，１２２−２，１２２−３は、その中心が鉛直方向から見て一致した状態で支持されている。
【００５３】  支持部１３２−３は、ボウル受け１２２−３と結合している第１の端部１３４−３から鉛直方向の下方向、かつボウル受け１２２−３の円周方向の外側方向に延設され、第２の端部１３８−３において台座部１４０に結合している。
【００５４】  支持部１３２−１，１３２−２は、それぞれボウル受け１２２−１，１２２−２と結合している第１の端部１３４−１，１３４−２から鉛直方向の下方向、かつボウル受け１２２−１，１２２−２の円周方向の外側方向に延設された第１の腕部１３５−１，１３５−２と、第１の腕部１３５−１，１３５−２からボウル受け１２２−１，１２２−２の円周方向の外側方向に延設された第２の腕部１３７−１，１３７−２を有している。
【００５５】  第１の腕部１３５−１，１３５−２と第２の腕部１３７−１，１３７−２とは、支持部１３２−１，１３２−２の鉛直方向に最も低い位置である結合点１３６−１，１３６−２において結合している。
【００５６】  また、２つの支持部１３２−１，１３２−２は、第１の端部１３４−１，１３４−２とは反対側の端部である第２の端部１３８−１，１３８−２において、それぞれ支持部１３２−３と連結されている。
【００５７】  なお、結合点１３６−１，１３６−２と第２の端部１３８−１，１３８−２とが一致する態様も可能である。即ち、第１の腕部１３５−１，１３５−２の第１の端部１３４−１，１３４−２とは反対側の端部が支持部１３２−１，１３２−２の鉛直方向に最も低い位置であり、第２の端部１３８−１，１３８−２として支持部１３２−３と連結されていてもよい。
【００５８】  台座部１４０は、その底面が床や台等に載置される部分である。
【００５９】  ボウル受け１２２−１は、その略円形状の板状部材の外周部がボウル１１２−１の内壁面と接することで、ボウル１１２−１の内部の底面を鉛直方向下方に向けてボウル１１２−１を載置保持している。
【００６０】  同様に、ボウル受け１２２−２，１２２−３を形成する略円形状の板状部材の外周部がボウル１１２−２，１１２−３の内壁面と接することで、ボウル受け１２２−２，１２２−３がボウル１１２−２，１１２−３の内部の底面を鉛直方向下方向に向けてボウル１１２−２，１１２−３を載置保持している。
【００６１】  本実施形態のボウルラック１１０は、３つのボウル受け１２２−１，１２２−２，１２２−３を備えた構成としているが、ボウル受けの数は３つに限定されるものではない。
〔各部の寸法、比率〕
図６は、ボウルラック１１０の各部の寸法を説明するための側面図である。ここでは、例えばボウル受け１１２−１，１１２−２，１１２−３を、ボウル受け１１２−ｎ（ｎ＝１，２，３）として表記している。
【００６２】  ボウルラック１１０に保持されるボウル１１２−ｎの周縁部の直径をＲＢｎ、高さをＨＢｎとすると、式１及び式２の関係を満たす。
【００６３】  ボウル受け１２２−ｎの直径をＳＨｎとすると、
ＳＨｎ≦ＳＨｎ＋１  …（式１０）
の関係を満たす。
【００６４】  ボウル受け１２２−（ｎ−１）と１２２−ｎとの間の距離をＰＨｎとすると、式４の関係を満たす。
【００６５】  ボウル１１２−ｎがボウル受け１２２−ｎに保持されたときの、ボウル受け１２２−ｎからボウル１１２−ｎの周縁部までのＺ方向高さをＨＣｎとすると、式５の関係で表すことができ、Ｍ＝０．６０以上であることが好ましく、０．７０≦Ｍ≦０．９０であることがより好ましく、０．７５≦Ｍ≦０．８５であることがより好ましい。
【００６６】  また、ボウル受け１２２−ｎと１２２−（ｎ＋１）との間の距離ＰＨｎ＋１は、ボウル受け１２２−ｎにボウル１１２−ｎが保持されたときのボウル受け１２２−ｎからボウル１１２−ｎの底面までのＺ方向高さ（ＨＢｎ−ＨＣｎ）よりも大きく、ボウル受け２２−（ｎ＋１）に保持されるボウルの高さＨＢｎ＋１よりも小さい。即ち、式６の関係を満たしている。
【００６７】  また、支持部１３２−ｎの第１の端部１３４−ｎを基準としたときの結合点１３６−ｎのＺ方向の高さの絶対値ＨＡｎ（第１の腕部１３５−ｎの高さＨＡｎ）は、式７の関係を満たしている。
【００６８】  ボウル受け１２２−ｎの直径ＳＨｎと第１の腕部１３５−ｎの高さＨＡｎの比率ＲＨｎ／ＨＡｎは、１．７≦ＲＨｎ／ＨＡｎ≦２．３であることが好ましく、１．８≦ＲＨｎ／ＨＡｎ≦２．２であることがより好ましく、１．９≦ＲＨｎ／ＨＡｎ≦２．１であることがより好ましい。本実施形態では、ＲＨｎ／ＨＡｎ＝２．０としている。
【００６９】  ボウル受け１２２−ｎとボウル受け１２２−（ｎ＋１）との間の距離ＰＨｎ＋１と、第１の腕部１３５−ｎの高さＨＡｎの比率ＰＨｎ＋１／ＨＡｎは、１．７≦ＰＨｎ＋１／ＨＡｎ≦２．３であることが好ましく、０．４０≦ＰＨｎ＋１／ＨＡｎ≦０．６０であることがより好ましく、０．４５≦ＰＨｎ＋１／ＨＡｎ≦０．５５であることがより好ましい。本実施形態では、ＰＨｎ＋１／ＨＡｎ＝０．５０としている。
【００７０】  さらに、第１の端部１３４−ｎにおける第１の腕部１３５−ｎと鉛直方向下方向とが成す角度θＡｎと、ボウル１１２−ｎの外壁面と鉛直方向下方向とが成す角度θＢｎとは、式８の関係を満たす。
【００７１】  このように第１の腕部１３５−ｎを形成することで、支持部１３２−ｎと、ボウル受け１２２−ｎに保持されるボウル１１２−ｎの周縁部、及びボウル受け１２２−（ｎ＋１）に保持されるボウル１１２−（ｎ＋１）の周縁部とが接触することを防止している。
【００７２】  ボウルラック１１０に収納されたボウル１１２−ｎを取り出すには、ボウル１１２−ｎの周縁部付近の一部を２本の指で狭持し、ボウル受け１２２−ｎにボウル１１２−ｎの内壁面を滑らせるように、ボウル１１２−ｎの周縁部の指で挟持した部分を鉛直方向の下方に下げて回転させればよい。
【００７３】  また、ボウル１１２−ｎをボウル受け１２２−ｎに収納する場合には、取り出す場合と逆方向にボウル１１２−ｎの内壁面をボウル受け１２２−ｎに滑らせればよい。
【００７４】  なお、省スペースのためには、ボウル受け間距離ＰＨｎ＋１とボウル高さＨＢｎとは、式９の関係を満たすことが好ましい。
【００７５】  ボウルラック１１０によれば、保持される各ボウル１２−ｎの内壁面が鉛直方向下方向に向けて収納されるので、ボウルの内壁面に埃などが付着することなく、ボウルを清潔に保って収納することができる。
＜第３の実施形態＞
図７は、本実施形態に係るボウルラック２１０の斜視図である。同図に示すように、ボウルラック２１０は、保持部２２０、連結部２３０、台座部２４０等から構成されている。
【００７６】  保持部２２０は、３つのボウル受け２２２−１，２２２−２，２２２−３を有しており、このボウル受け２２２−１，２２２−２，２２２−３は、それぞれ略円形状の中空部２２４−１，２２４−２，２２４−３を有している。ボウル受け２２２−１，２２２−２，２２２−３は、ボウルをそれぞれ略円形状の中空部２２４−１，２２４−２，２２４−３に内挿保持することができる。
【００７７】  連結部２３０は、３つの支持部２３２−１，２３２−２，２３２−３を有している。各支持部２３２−１，２３２−２，２３２−３は、それぞれボウル受け２２２−１，２２２−２，２２２−３を支持している。ボウル受け２２２−１，２２２−２，２２２−３は、中空部２２４−１，２２４−２，２２４−３の中心が水平方向から見て一致した状態で支持されている。即ち、中空部２２４−１，２２４−２，２２４−３は、水平方向から見て同心円を構成している。
【００７８】  支持部２３２−１は、ボウル受け２２２−１の鉛直方向下部と結合している第１の端部２３４−１ａ，２３４−１ｂから水平方向におけるボウル受け２２２−２とは反対側方向（以後、手前方向と呼ぶ）、かつボウル受け２２２−１の円周方向の外側方向（鉛直方向下方向）に延設された第１の腕部２３５−１ａ，２３５−１ｂを有している。
【００７９】  同様に、支持部２３２−２は、ボウル受け２２２−２の鉛直方向下部と結合している第１の端部２３４−２ａ，２３４−２ｂから水平方向の手前方向、かつボウル受け２２２−２の鉛直方向下方向に延設された第１の腕部２３５−２ａ，２３５−２ｂを有している。
【００８０】  第１の腕部２３５−１ａ、２３５−１ｂは、第１の端部２３４−１ａ，２３４−１ｂとは反対側の第２の端部２３８−１ａ，２３８−１ｂに、第２の端部２３８−１ａ，２３８−１ｂからボウル受け２２２−１の円周方向の内側方向（鉛直方向上方向）に延設された当接部２３３−１ａ，２３３−１ｂ（爪部の一例）を備えている。
【００８１】  また、第１の腕部２３５−１ａ、２３５−１ｂは、結合点２３６−１ａ，２３６−１ｂにおいて、台座部２４０から鉛直方向上方向に延設された２本の支柱部２３９ａ，２３９ｂとそれぞれ結合している。
【００８２】  一方、第１の腕部２３５−２ａ，２３５−２ｂは、第１の端部２３４−２ａ，２３４−２ｂとは反対側の第２の端部２３８−２ａ，２３８−２ｂにおいて支柱部２３９ａ，２３９ｂとそれぞれ結合している。
【００８３】  さらに、ボウル受け２２２−３は、その鉛直方向下部において、台座部２４０から鉛直方向上方向に延設された２本の支柱部２３９ｃ，２３９ｄとそれぞれ結合している。
【００８４】  台座部２４０は棒状部材が井の字形状に配置されており、各棒状部材の交差部分において各支柱部２３９ａ，２３９ｂ，２３９ｃ，２３９ｄを垂直に（鉛直方向上方向に）支持している。台座部２４０はこの形状に限定されず、例えば板状に形成してもよい。
【００８５】  ボウルラック２１０の各部の寸法、比率については、ボウルラック１０，１１０と同様に構成すればよい。
【００８６】  図８は、ボウルラック２１０が３つのボウル２１２−１，２１２−２，２１２−３を収納した状態を示した側面図であり、ここでは各ボウル２１２−１，２１２−２，２１２−３を透過させて示している。
【００８７】  ボウル受け２２２−１の中空部２２４−１を形成する略円形状の内壁面がボウル２１２−１の外壁面と接し、かつ当接部２３３−１ａ，２３３−１ｂがボウル２１２−１の周縁部と当接（係止）することで、ボウル受け２２２−１がボウル２１２−１の内部の底面を水平方向手前方向に向けてボウル２１２−１を内挿保持する。
【００８８】  同様に、ボウル受け２２２−２，２２２−３の中空部２２４−２，２２４−３を形成する略円形状の内壁面がボウル２１２−２，２１２−３の外壁面と接し、かつ支柱部２３９ａ，２３９ｂがボウル２１２−２，２１２−３の周縁部と当接することで、ボウル受け２２２−２，２２２−３がボウル２１２−２，２１２−３の内部の底面を水平方向手前方向に向けてボウル１２−２，１２−３を内挿保持する。
＜第４の実施形態＞
図９は、本実施形態に係るボウルラック３１０の側面図である。ボウルラック３１０と第１の実施形態において説明したボウルラック１０とは、台座部３４０が異なっている。
【００８９】  ボウルラック３１０は、保持部２０、連結部３０、台座部３４０等から構成されており、台座部３４０を棚等に載置することで、図１、２に示したボウルラック１０のように、鉛直方向下部から順に配置された各ボウル受け２２−１，２２−２，２２−３において、ボウル１２−１，１２−２，１２−３をそれぞれ内部の底面を鉛直方向上方に向けて内挿保持することが可能である。
【００９０】  さらに、ボウルラック３１０は、台座部３４０が側面から見てコの字形状に形成されており、台座部３４０の凹部３４２に棚等の固定部材３４４を挿通することで、ボウルラック３１０を天地逆に固定することが可能である。
【００９１】  即ち、図５に示したボウルラック１１０と同様に、鉛直方向上部から順に配置された各ボウル受け２２−３，２２−２，２２−１は、ボウル１２−４，１２−３，１２−２をそれぞれ内部の底面を鉛直方向下方向に向けて載置保持することができる。
【００９２】  このように、台座部の形状を載置・懸垂両用に構成することで、ユーザは使用場所に応じて好ましい使い方をすることができる。
＜その他の実施形態＞
図１０、図１１（ａ）〜（ｄ）は、それぞれボウルラック４１０の斜視図、上面図、側面図、背面図、ボウルを収納した状態の側面図である。図１０、図１１に示すように、ボウルラック４１０は、図１に示したボウルラック１０を１本の針金状部材で実現したものである。ボウルラック４１０は、保持部４２０、連結部４３０、台座部４４０等から構成されており、明確な区切りはないが、略円形状の中空部４２４−ｎにボウル４１２−ｎを内挿保持している部分がボウル受け４２２−ｎ、各ボウル受け４２２−ｎから鉛直方向の上方向、かつボウル受け４２２−ｎの円周方向の外側方向に延設された部分が第１の腕部４３５−ｎ、第１の腕部４３５−ｎからボウル受け４２２−１の円周方向の外側に延設された部分が第２の腕部４３７−ｎ、底面が床や台等に載置される部分が台座部４４０に相当する。
【００９３】  図１２は、ボウルラック４１０Ｂの斜視図であり、図１に示したボウルラック１０を１本の針金状部材で実現した他の実施形態を示す。
【００９４】  ボウルラック４１０においては、針金状部材の始点Ｓから終点Ｅまで、ボウル受け４２２−１は鉛直方向上側から見て反時計回り、ボウル受け４２２−２は時計回り、ボウル受け４２２−３は反時計回りに形成されている。これに対し、ボウルラック４１０Ｂは、ボウル受け４２２−１，４２２−２，４２２−３が全て反時計回りに延在している。
【００９５】  図１３、図１４（ａ）〜（ｄ）は、それぞれボウルラック５１０の斜視図、上面図、側面図、背面図、ボウルを収納した状態の側面図である。図１３、図１４に示すように、ボウルラック５１０は、１本の針金状部材で実現したものであり、各ボウル受け５２２−ｎは、その平面形態が略３／４円状の円弧状に形成されている。
【００９６】  図１５は、ボウルラック６１０の斜視図であり、図９に示したボウルラック３１０を１本の針金状部材で実現した他の実施形態を示している。ボウルラック３１０と図１０に示したボウルラック４１０とは、台座部６４０が異なっており、台座部６４０を載置する形態と、台座部６４０の凹部６４２に棚等の固定部材を挿通する形態とに用いることができる。
【００９７】  本発明の技術的範囲は、上記の実施形態に記載の範囲には限定されない。各実施形態における構成等は、本発明の趣旨を逸脱しない範囲で、各実施形態間で適宜組み合わせることができる。
【符号の説明】
【００９８】  １０…ボウルラック、１２…ボウル、２０…保持部、２２…ボウル受け、２４…中空部、３０…連結部、３２…支持部、３４…第１の端部、３５…第１の腕部、３６…結合点、３７…第２の椀部、４０…台座部
【図１】
0006007367.tif 000002
【図２】
0006007367.tif 000003
【図３】
0006007367.tif 000004
【図４】
0006007367.tif 000005
【図５】
0006007367.tif 000006
【図６】
0006007367.tif 000007
【図７】
0006007367.tif 000008
【図８】
0006007367.tif 000009
【図９】
0006007367.tif 000010
【図１０】
0006007367.tif 000011
【図１１】
0006007367.tif 000012
【図１２】
0006007367.tif 000013
【図１３】
0006007367.tif 000014
【図１４】
0006007367.tif 000015
【図１５】
0006007367.tif 000016